(57)【要約】【課題】割り込まれた通信の再開を容易にする技術を提供する。【解決手段】検出部５０は、所定のチャネルにおける送信側端末装置から受信側端末装置への通信を検出する。記憶部３２は、検出部５０が通信を検出した場合に、送信側端末装置と受信側端末装置とに関する情報を記憶する。要求部５２は、検出部５０が通信を検出した場合に、送信側端末装置に対して通信への割込を要求する。通信部５４は、要求部５２による要求に応じて所定のチャネルにおける通信を送信側端末装置が停止した場合に、所定のチャネルにおける割込通信を実行する。招待部５６は、通信部５４が割込通信を終了した場合に、記憶部３２に記憶した情報をもとに送信側端末装置と受信側端末装置とに対して、所定のチャネルにおける通信の再開を促す。【選択図】図３
2019106598.tif 000002
【特許請求の範囲】
【請求項１】
所定のチャネルにおける送信側端末装置から受信側端末装置への通信を検出する検出部と、
前記検出部が通信を検出した場合に、前記送信側端末装置と前記受信側端末装置とに関する情報を記憶する記憶部と、
前記検出部が通信を検出した場合に、前記送信側端末装置に対して通信への割込を要求する要求部と、
前記要求部による要求に応じて前記所定のチャネルにおける通信を前記送信側端末装置が停止した場合に、前記所定のチャネルにおける割込通信を実行する通信部と、
前記通信部が前記割込通信を終了した場合に、前記記憶部に記憶した情報をもとに前記送信側端末装置と前記受信側端末装置とに対して、前記所定のチャネルにおける通信の再開を促す招待部と、
を備えることを特徴とする端末装置。
【請求項２】
前記招待部は、前記送信側端末装置と前記受信側端末装置とに対して、前記通信部が通信を終了してから一定の期間にわたって通信の再開を促すための信号を送信することを特徴とする請求項１に記載の端末装置。
【請求項３】
前記招待部は、前記送信側端末装置から通信の再開を拒否する信号を受信した場合に、通信の再開を促すための信号の送信を停止することを特徴とする請求項２に記載の端末装置。
【請求項４】
所定のチャネルにおける通信を実行する通信部と、
他の端末装置から通信への割込が要求されることによって、前記通信部が前記所定のチャネルにおける通信を停止した場合に、前記他の端末装置が割込通信を終了すると、前記他の端末装置から、前記所定のチャネルにおける通信の再開が促される信号を検出する検出部とを備え、
前記通信部は、前記検出部において通信の再開が促される信号を検出している間にわたって、前記所定のチャネルにおける通信を実行可能であることを特徴とする端末装置。
【請求項５】
前記検出部において通信の再開が促されていることを通知する通知部をさらに備えることを特徴とする請求項４に記載の端末装置。
【請求項６】
前記検出部において通信の再開が促される信号を検出していても、再開の拒否を前記他の端末装置に通知する応答部をさらに備えることを特徴とする請求項４または５に記載の端末装置。
【請求項７】
所定のチャネルにおける送信側端末装置から受信側端末装置への通信を検出するステップと、
通信を検出した場合に、前記送信側端末装置と前記受信側端末装置とに関する情報を記憶するステップと、
通信を検出した場合に、前記送信側端末装置に対して通信への割込を要求するステップと、
要求に応じて前記所定のチャネルにおける通信を前記送信側端末装置が停止した場合に、前記所定のチャネルにおける割込通信を実行するステップと、
割込通信を終了した場合に、記憶した情報をもとに前記送信側端末装置と前記受信側端末装置とに対して、前記所定のチャネルにおける通信の再開を促すステップと、
を備えることを特徴とする通信方法。
【請求項８】
所定のチャネルにおける通信を実行するステップと、
他の端末装置から通信への割込が要求されることによって、前記所定のチャネルにおける通信を停止した場合に、前記他の端末装置が割込通信を終了すると、前記他の端末装置から、前記所定のチャネルにおける通信の再開が促される信号を検出するステップと、
通信の再開が促される信号を検出している間にわたって、前記所定のチャネルにおける通信を実行可能であるステップと、
を備えることを特徴とする通信方法。
【発明の詳細な説明】
【技術分野】
【０００１】
本発明は、通信技術に関し、特にチャネルを共有して使用する端末装置および通信方法に関する。
【背景技術】
【０００２】
通話中割り込み着信サービスは、通話中の電話回線へ他の相手先から着信があった場合、所定の通知信号をその電話回線へ送出して、その利用者へ通話中割り込み着信を通知する。つまり、ボタン電話装置は、第１の子機との通話中の電話回線へ通話中割り込み着信があった場合、第１の子機による通話を一時中断し、電話回線を用いた他の第２の子機による割り込み通話を形成する。このようなサービスにおいて、複雑な操作を必要とすることなく割り込み通話終了から元の通話の再形成へスムーズに移行することが求められる。そのため、ボタン電話装置は、割り込み通話の終話に応じて、第１の子機の呼び出しを行うことにより、割り込み通話の終了を通知する（例えば、特許文献１参照）。
【先行技術文献】
【特許文献】
【０００３】
【特許文献１】特開２００１−２８５４８５号公報
【発明の概要】
【発明が解決しようとする課題】
【０００４】
ＰＴＴ（Ｐｕｓｈ−Ｔｏ−Ｔａｌｋ）に対応した端末装置はＰＴＴスイッチを備えており、ＰＴＴスイッチのオン・オフ操作によって端末装置の送受信状態が切り替えられる。例えば、ＰＴＴスイッチを押している期間が送信状態であり、ＰＴＴスイッチを放すと端末装置は受信状態に戻る。このような端末装置を含む無線通信システムでは、１つのチャネルにおいて複数の通信が共有される。そのため、１組の端末装置が１つのチャネルを使用して通信を実行している場合、他の１組の端末装置は当該通信が終了するまで通信を開始できない。一方、無線通信システムにおいて規定される割込通信により、１組の端末装置による通信が停止され、他の１組の端末装置による通信が実行される。他の１組の端末装置による通信が終了した場合、１組の端末装置は、他の端末装置との間で１つのチャネルを奪い合って、１つのチャネルを獲得できれば通信を再開する。しかしながら、１つのチャネルを獲得できなければ、１組の端末装置は通信を再開できないので、速やかな意思伝達が妨げられてしまう。
【０００５】
本発明はこうした状況に鑑みてなされたものであり、その目的は、割り込まれた通信の再開を容易にする技術を提供することである。
【課題を解決するための手段】
【０００６】
上記課題を解決するために、本発明のある態様の端末装置は、所定のチャネルにおける送信側端末装置から受信側端末装置への通信を検出する検出部と、検出部が通信を検出した場合に、送信側端末装置と受信側端末装置とに関する情報を記憶する記憶部と、検出部が通信を検出した場合に、送信側端末装置に対して通信への割込を要求する要求部と、要求部による要求に応じて所定のチャネルにおける通信を送信側端末装置が停止した場合に、所定のチャネルにおける割込通信を実行する通信部と、通信部が割込通信を終了した場合に、記憶部に記憶した情報をもとに送信側端末装置と受信側端末装置とに対して、所定のチャネルにおける通信の再開を促す招待部と、を備える。
【０００７】
所定のチャネルにおける通信を実行する通信部と、他の端末装置から通信への割込が要求されることによって、通信部が所定のチャネルにおける通信を停止した場合に、他の端末装置が割込通信を終了すると、他の端末装置から、所定のチャネルにおける通信の再開が促される信号を検出する検出部とを備える。通信部は、検出部において通信の再開が促される信号を検出している間にわたって、所定のチャネルにおける通信を実行可能である。
【０００８】
本発明のさらに別の態様は、通信方法である。この方法は、所定のチャネルにおける送信側端末装置から受信側端末装置への通信を検出するステップと、通信を検出した場合に、送信側端末装置と受信側端末装置とに関する情報を記憶するステップと、通信を検出した場合に、送信側端末装置に対して通信への割込を要求するステップと、要求に応じて所定のチャネルにおける通信を送信側端末装置が停止した場合に、所定のチャネルにおける割込通信を実行するステップと、割込通信を終了した場合に、記憶した情報をもとに送信側端末装置と受信側端末装置とに対して、所定のチャネルにおける通信の再開を促すステップと、を備える。
【０００９】
本発明のさらに別の態様もまた、通信方法である。この方法は、所定のチャネルにおける通信を実行するステップと、他の端末装置から通信への割込が要求されることによって、所定のチャネルにおける通信を停止した場合に、他の端末装置が割込通信を終了すると、他の端末装置から、所定のチャネルにおける通信の再開が促される信号を検出するステップと、通信の再開が促される信号を検出している間にわたって、所定のチャネルにおける通信を実行可能であるステップと、を備える。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、割り込まれた通信の再開を容易にできる。
【図面の簡単な説明】
【００１２】
【図１】図１（ａ）−（ｄ）は、実施例に係る通信システムの動作概要を示す図である。
【図２】図２（ａ）−（ｃ）は、実施例に係る通信システムの続きの動作概要を示す図である。
【図３】図１（ａ）−（ｄ）、図２（ａ）−（ｃ）における端末装置の構成を示す図である。
【図４】図１（ａ）−（ｄ）、図２（ａ）−（ｃ）における通信システムによる通信手順を示すシーケンス図である。
【図５】図１（ａ）−（ｄ）、図２（ａ）−（ｃ）における第３端末装置による通信手順を示すフローチャートである。
【図６】図１（ａ）−（ｄ）、図２（ａ）−（ｃ）における第１端末装置による通信手順を示すフローチャートである。
【発明を実施するための形態】
【００１３】
本発明を具体的に説明する前に、まず概要を述べる。本発明の実施例は、ＰＴＴスイッチであるＰＴＴボタンが押し下げられた場合に音声信号を送信するとともに、ＰＴＴボタンが押し下げられていない場合に音声信号を受信する端末装置に関する。この端末装置は、例えば、業務用無線システムに含まれる。業務用無線システムは、１つの周波数チャネルにフレームが時間軸上に繰り返し配置されるとともに、各フレームは複数のスロットに時分割される。ここで、各フレームでの相対的な順番が同一のスロットが組み合わされることによって、１つのチャネルが形成される。例えば、フレームの先頭から２番目のスロットがフレーム毎に確保されることによって１つのチャネルが形成される。１つのチャネルにおいて複数の通話が共有される。ここで、通話は、端末装置間において直接なされるものとし、１対１であってもよく、１対Ｎであってもよい。後者はグループ通信に相当する。
【００１４】
１組の端末装置が１つのチャネルを使用して通話を実行している場合、他の１組の端末装置は当該通話が終了するまで通話を開始できないが、他の１組の端末装置による通話の緊急性が高いときにこれを優先するために、割込通話が規定される。割込通話によって、１組の端末装置による通話が停止され、空いたチャネルにおいて、他の１組の端末装置による通話が実行される。他の１組の端末装置による通話が終了した場合、当該チャネルは再び空けられる。しかしながら、割り込まれた１組の端末装置は、それまでの通話を再開するために、他の端末装置との間で１つのチャネルを奪い合わなければならない。１組の端末装置は、１つのチャネルを獲得できれば通信を再開できるが、１つのチャネルを獲得できなければ、１組の端末装置は通信を再開できない。
【００１５】
割り込まれた１組の端末装置における速やかな意思伝達を実現するために、割り込んだ他の１組の端末装置の通話が終了した後、割り込まれた１組の端末装置に対して１つのチャネルを優先的に使用させることが望まれる。これを実現するために本実施例に係る端末装置、例えば、割り込む側の端末装置は、通話されている音声信号を受信して、通話に関する情報、例えば、送信側の端末装置のＩＤ、受信側の端末装置のＩＤを取得する。また、割り込む側の端末装置は、割込通話が終了する場合に、取得したそれぞれのＩＤの端末装置に対して通話の再開を促すための招待信号を送信する。招待信号によって特定される端末装置は、招待信号を受信している間に通話を再開可能である。一方、招待信号によって特定されない端末装置は、招待信号を受信している間に通話を再開できない。その結果、割り込まれた端末装置は、通話を優先的に再開できる。
【００１６】
図１（ａ）−（ｄ）は、通信システム１００の動作概要を示す。通信システム１００は、端末装置１０と総称される第１端末装置１０ａ、第２端末装置１０ｂ、第３端末装置１０ｃ、第４端末装置１０ｄを含む。なお、通信システム１００に含まれる端末装置１０の数は「４」に限定されない。図１（ａ）において、第１端末装置１０ａにおけるＰＴＴボタンが押し下げられることによって、第１端末装置１０ａは、所定のチャネルにおいて、音声信号が含まれた発呼信号を送信する。つまり、第１端末装置１０ａは、発話者によって使用される端末装置１０である。第２端末装置１０ｂは、第１端末装置１０ａによって使用されるチャネルにおいて、第１端末装置１０ａからの発呼信号を受信する。第２端末装置１０ｂは、発呼信号に含まれた音声信号を再生する。つまり、第２端末装置１０ｂは、受話者によって使用される端末装置１０である。このように、所定のチャネルを使用した通信として、第１端末装置１０ａから第２端末装置１０ｂへの通話がなされている。ここでは、１対１の通話がなされているが、第１端末装置１０ａからの発呼信号を複数の端末装置１０が受信することによって、１対Ｎの通話がなされてもよい。
【００１７】
第３端末装置１０ｃは、第１端末装置１０ａと第２端末装置１０ｂとの間の通話に含まれない端末装置１０である。第３端末装置１０ｃは、第１端末装置１０ａと第２端末装置１０ｂとの間の通話に使用されるチャネルを使用しながら通話の実行を希望する。ここで、第３端末装置１０ｃは、第１端末装置１０ａからの発呼信号を受信し、発呼信号に含まれた第１端末装置１０ａのＩＤと第２端末装置１０ｂのＩＤを取得する。これにより、第３端末装置１０ｃは、第１端末装置１０ａと第２端末装置１０ｂとの間の通話が所定のチャネルでなされていることを認識する。
【００１８】
図１（ｂ）において、第３端末装置１０ｃは、通話の発話者に相当する第１端末装置１０ａに、割込の要求信号を送信する。要求信号は、第１端末装置１０ａに対して所定のチャネルにおける通話、つまり発呼信号の送信を停止することを要求するための信号である。第１端末装置１０ａは、要求信号を受信すると、図１（ｃ）のごとく、発呼信号の送信を停止する。これは、第３端末装置１０ｃによる割込によって、第１端末装置１０ａから第２端末装置１０ｂへの通話が停止されることに相当する。第３端末装置１０ｃは、所定のチャネルにおいて第１端末装置１０ａからの発呼信号の送信が停止されたことを確認する。
【００１９】
図１（ｄ）において、第３端末装置１０ｃは、第１端末装置１０ａに対して割り込んだチャネルにおいて発呼信号を第４端末装置１０ｄに送信する。第４端末装置１０ｄは、第３端末装置１０ｃによって使用されるチャネルにおいて、第３端末装置１０ｃからの発呼信号を受信する。第４端末装置１０ｄは、発呼信号に含まれた音声信号を再生する。つまり、第３端末装置１０ｃ、第４端末装置１０ｄは、それまでの第１端末装置１０ａ、第２端末装置１０ｂと同様の処理を実行することによって割込通話を開始する。ここで、第３端末装置１０ｃは、割り込まれた通話を実行していた第１端末装置１０ａのＩＤと第２端末装置１０ｂのＩＤを記憶している。
【００２０】
図２（ａ）−（ｃ）は、通信システム１００の続きの動作概要を示す。第３端末装置１０ｃと第４端末装置１０ｄとの割込通話が終了した場合、第３端末装置１０ｃは、図２（ａ）のごとく、招待信号を第１端末装置１０ａと第２端末装置１０ｂに送信する。ここで、招待信号は、割り込まれた通話を実行していた端末装置１０に対して通話の再開を促すための信号であり、一定期間にわたって送信される。招待信号の宛先には、前述のごとく、記憶していた第１端末装置１０ａのＩＤと第２端末装置１０ｂのＩＤが使用される。第１端末装置１０ａと第２端末装置１０ｂは、招待信号を受信することによって、割り込まれたチャネルが再び使用可能になったことを認識する。
【００２１】
図２（ｂ）のように第１端末装置１０ａと第２端末装置１０ｂが招待信号を受信している間において、第１端末装置１０ａにおけるＰＴＴスイッチが押し下げられると、第１端末装置１０ａは、割り込まれたチャネルを取得して、発呼信号を第２端末装置１０ｂに送信する。その結果が図２（ｃ）のように示される。なお、招待信号の受信中に、第２端末装置１０ｂにおけるＰＴＴスイッチが押し下げられると、第２端末装置１０ｂは、割り込まれたチャネルを取得して、発呼信号を第１端末装置１０ａに送信する。一方、第１端末装置１０ａと第２端末装置１０ｂ以外の図示しない端末装置１０は、第３端末装置１０ｃからの発呼信号を受信している間に、ＰＴＴスイッチが押し下げられても、前述のチャネルを取得できず、発呼信号を送信できない。
【００２２】
図３は、第１端末装置１０ａと第３端末装置１０ｃの構成を示す。第１端末装置１０ａは、操作部２０、マイク２２、スピーカ２４、通知部２６、処理部２８、無線部３０を含み、処理部２８は、通信部４０、検出部４２、応答部４４を含む。また、第３端末装置１０ｃは、操作部２０、マイク２２、スピーカ２４、処理部２８、無線部３０、記憶部３２を含み、処理部２８は、検出部５０、要求部５２、通信部５４、招待部５６を含む。なお、第１端末装置１０ａと第３端末装置１０ｃは同一の構成を有しているが、ここでは、図１（ａ）−（ｄ）、第２（ａ）−（ｃ）に示されように、割り込まれる側の第１端末装置１０ａと、割り込む側の第３端末装置１０ｃに応じた構成を示す。以下では、（１）最初の通話の実行、（２）割込通話の実行、（３）最初の通話の復帰の順に説明する。
【００２３】
（１）最初の通話の実行
最初の通話は、所定のチャネルにおける第１端末装置１０ａから第２端末装置１０ｂへの通話であり、これは、図１（ａ）に相当する。第１端末装置１０ａの操作部２０は、例えばＰＴＴボタンであり、発呼信号を送信する場合に押し下げられる。一方、操作部２０は、発呼信号を送信しない場合に押し下げられない。処理部２８は、操作部２０に接続され、操作部２０の押し下げを検出する。処理部２８は、検出結果をもとに第１端末装置１０ａの処理を制御する。マイク２２は、ユーザによって発せられる音声を受けつける。マイク２２は、音声を電気信号に変換し、電気信号の音声（以下、これもまた「音声」という）を処理部２８に出力する。処理部２８は、マイク２２から音声を受けつける。処理部２８は、音声に対して符号化等の処理を実行することによって音声信号を生成する。
【００２４】
通信部４０は、処理部２８において生成された音声信号が含まれた発呼信号を生成する。発呼信号には、発呼信号の送信元である第１端末装置１０ａのＩＤと、発呼信号の宛先である図１（ａ）−（ｂ）の第２端末装置１０ｂのＩＤも含まれる。通信部４０は、発呼信号を無線部３０に出力する。無線部３０は、例えば、業務用無線システム等の無線通信システムに対応した処理を実行可能であり、通信部４０からの発呼信号を受けつけると、他の端末装置１０と奪い合いながら確保した所定のチャネルにおいて発呼信号を送信する。所定のチャネルの確保については公知の技術が使用されればよいので、ここでは説明を省略する。
【００２５】
図１（ａ）−（ｂ）の第２端末装置１０ｂも第１端末装置１０ａと同様に構成されており、第２端末装置１０ｂの無線部３０は、所定のチャネルにおいて、第１端末装置１０ａからの発呼信号を受信する。無線部３０は、受信した発呼信号を通信部４０に出力する。通信部４０は、発呼信号から音声信号を抽出するとともに、宛先となる端末装置１０のＩＤを抽出する。通信部４０は、抽出したＩＤが自装置のＩＤである場合、音声信号を処理部２８に出力する。このように通信部４０は、所定のチャネルにおける通信、特に通話を実行する。処理部２８は、音声信号に対して復号等の処理を実行することによって、音声を取得する。処理部２８は音声を再生してスピーカ２４に出力する。スピーカ２４は、外部に音声を出力する。
【００２６】
（２）割込通話の実行
割込通話は、最初の通話に使用されるチャネルにおいて、第１端末装置１０ａと第２端末装置１０ｂに変わって、第３端末装置１０ｃから第４端末装置１０ｄへなされる通話であり、これは、図１（ｂ）−（ｄ）に相当する。第３端末装置１０ｃの操作部２０は、例えば、緊急性を要する通話を実行するためのボタンである。このボタンは、ＰＴＴボタンと同様に、発呼信号を送信する場合に押し下げられる。なお、このボタンは、ＰＴＴボタンとは別に備えられてもよいし、ＰＴＴボタンと同一であってもよい。処理部２８は、操作部２０に接続され、操作部２０の押し下げを検出する。
【００２７】
検出部５０は、処理部２８が押し下げを検出した場合に、無線部３０において受信した発呼信号を取得する。ここで、無線部３０は、第１端末装置１０ａと第２端末装置１０ｂとが使用しているチャネルにおいて発呼信号を受信する。検出部５０は、取得した発呼信号から、送信元になる端末装置１０のＩＤと、宛先となる端末装置１０のＩＤとを抽出する。これは、所定のチャネルにおける第１端末装置１０ａから第２端末装置１０ｂへの通信を検出することに相当する。なお、第１端末装置１０ａを送信側端末装置と呼ぶ場合、第２端末装置１０ｂは受信側端末装置と呼ばれる。検出部５０は、抽出した２つのＩＤを処理部２８経由で記憶部３２に記憶する。記憶部３２は、検出部５０において検出された第１端末装置１０ａのＩＤと第２端末装置１０ｂのＩＤとを記憶する。
【００２８】
記憶部３２において記憶がなされた場合、要求部５２は、第１端末装置１０ａに対して通話への割込を要求するための要求信号を生成する。要求信号には、第１端末装置１０ａのＩＤが含まれる。要求部５２は要求信号を無線部３０に出力する。無線部３０は、所定のチャネル中の発呼信号が送信されていないタイミングにおいて、要求信号を送信する。また、無線部３０は、所定のチャネルが含まれた周波数チャネルのうち、所定のチャネルとは異なったスロットにおいて要求信号を送信してもよい。
【００２９】
第１端末装置１０ａの無線部３０は、第３端末装置１０ｃからの要求信号を受信する。無線部３０は、要求信号を検出部４２に出力する。検出部４２は、要求信号に含まれたＩＤが自装置のＩＤである場合に、第３端末装置１０ｃから通話への割込が要求されていることを検出する。割込が要求されたことを検出部４２が検出した場合、処理部２８は、通信部４０、無線部３０に対して、所定のチャネルにおける通話を停止させる。これに応じて、通信部４０、無線部３０は、所定のチャネルにおける通話、つまり発呼信号の送信を停止する。このように、所定のチャネルを使用する第１端末装置１０ａと第２端末装置１０ｂとの通話は停止される。
【００３０】
第３端末装置１０ｃの無線部３０は、第１端末装置１０ａと第２端末装置１０ｂとの通話に使用されていたチャネルを監視する。処理部２８は、無線部３０による監視の結果、所定期間にわたって第１端末装置１０ａからの発呼信号を受信しないことを検出する。これは、要求部５２による要求に応じて所定のチャネルにおける発呼信号の送信を第１端末装置１０ａが停止した場合に相当する。これに応じて、処理部２８は、発呼信号の送信、つまり割込通話の開始を決定する。
【００３１】
操作部２０は押し下げられ、処理部２８は、操作部２０の押し下げを検出する。マイク２２は、ユーザによって発せられる音声を受けつける。処理部２８は、マイク２２から音声を受けつけて、音声から音声信号を生成する。通信部５４は、処理部２８において生成された音声信号が含まれた発呼信号を生成する。発呼信号には、発呼信号の送信元である第３端末装置１０ｃのＩＤと、発呼信号の宛先である図１（ｄ）の第４端末装置１０ｄのＩＤも含まれる。通信部５４は、発呼信号を無線部３０に出力する。無線部３０は、前述の所定のチャネルにおいて発呼信号を送信する。このように、通信部５４は、最初の通話が停止された場合に、所定のチャネルにおける通話を実行する。
【００３２】
（３）最初の通話の復帰
第３端末装置１０ｃの通信部５４は、割込通話を終了した場合、つまり発呼信号の送信を停止した場合に、割込通話の終了を招待部５６に通知する。招待部５６は、通信部５４からの通知を受けつけた場合に、記憶部３２に記憶した２つのＩＤを取得する。ここでは、第１端末装置１０ａのＩＤと第２端末装置１０ｂのＩＤである。招待部５６は、取得した２つのＩＤを含めるように招待信号を生成する。招待信号は、第１端末装置１０ａと第２端末装置１０ｂとに対して、所定のチャネルにおける通信の再開を促すための信号である。招待部５６は、招待信号を無線部３０に出力する。無線部３０は、所定のチャネルにおいて招待信号を送信する。ここで、招待信号は、第１端末装置１０ａと第２端末装置１０ｂとに対して、通信部５４が通信を終了してから一定の期間にわたって送信される。これは図２（ａ）に相当する
【００３３】
第１端末装置１０ａの無線部３０は、所定のチャネルにおいて招待信号を受信する。無線部３０は、招待信号を検出部４２に出力する。検出部４２は、招待信号に含まれたＩＤが自装置のＩＤである場合、招待信号の取得を検出する。これによって、所定のチャネルにおける通話の再開が促される。検出部４２は、招待信号の取得を検出すると、通知部２６に対して、通話の再開が促されていることを通知させる。
【００３４】
通知部２６は、例えば、ＬＥＤ（Ｌｉｇｈｔ  Ｅｍｉｔｔｉｎｇ  Ｄｉｏｄｅ）であり、検出部４２からの指示に応じて発光あるいは点滅する。また、通知部２６は、ＬＣＤ（Ｌｉｑｕｉｄ  Ｃｒｙｓｔａｌ  Ｄｉｓｐｌａｙ）であり、検出部４２からの指示に応じて、通話の再開が促されていることを示すための情報を表示してもよい。通知部２６は、スピーカであり、検出部４２からの指示に応じてビープ音などを出力してもよい。さらに、通知部２６は、バイブレータであり、検出部４２からの指示に応じて振動してもよい。このように、通知部２６は、通話の再開が促されていることをユーザに通知する。
【００３５】
通知部２６による通知がなされている間にわたって、ユーザが操作部２０を押し下げることによって、通信部４０は、所定のチャネルにおける通話を実行可能である。ここで、通知部２６による通知がなされている間は、検出部４２が招待信号の取得を検出している間、あるいは検出部４２において通話の再開が促されている間に相当する。ユーザが操作部２０を押し下げた場合、無線部３０は、前述の所定のチャネルを確保し、これまでと同様に、発呼信号を送信する。これは、第３端末装置１０ｃからの招待信号が送信されている間において、所定のチャネルが優先的に確保されることに相当する。これは、図２（ｂ）−（ｃ）に相当する。
【００３６】
一方、検出部４２が招待信号の取得を検出しなくなった場合、つまり第３端末装置１０ｃからの招待信号の送信が停止された場合、所定のチャネルが優先的に確保されない。その際、通知部２６による通知はなされてない。これは、通話の再開が促されてない場合に相当する。この状況において、第１端末装置１０ａの操作部２０が押し下げられると、無線部３０は、（１）と同様に、他の端末装置１０と奪い合いながら所定のチャネルを確保する。
【００３７】
一方、通知部２６による通知がなされている間であっても、通話の再開が不要である場合もある。その際、ユーザは、操作部２０を使用することによって、通話の再開が不要であることを指示してもよい。処理部２８は、操作部２０から再開不要の指示を受けつけると、指示を応答部４４に出力する。応答部４４は、処理部２８からの指示を受けつけた場合、つまり検出部４２において通信の再開が促されていても通話の再開が不要である場合、再開の拒否が示された拒否信号を無線部３０に出力する。無線部３０は、拒否信号を第３端末装置１０ｃに送信する。無線部３０は、所定のチャネル中の招待信号が送信されていないタイミングにおいて、拒否信号を第３端末装置１０ｃに送信する。また、無線部３０は、所定のチャネルが含まれた周波数チャネルのうち、所定のチャネルとは異なったスロットにおいて拒否信号を送信してもよい。
【００３８】
第３端末装置１０ｃの無線部３０は、拒否信号を受信すると、拒否信号を招待部５６に出力する。招待部５６は、拒否信号を受けつけると、招待信号の送信を無線部３０に停止させる。第３端末装置１０ｃが招待信号の送信を停止した後は、すべての端末装置１０は、チャネルを自由に使用できる。
【００３９】
ここまで第３端末装置１０ｃから第１端末装置１０ａへ要求信号を送信した後の割込通話として、第３端末装置１０ｃから第４端末装置１０ｄへなされる通話を例として説明したが、割込通話は第３端末装置１０ｃから第４端末装置１０ｄへなされる通話に限らず、第１端末装置１０ａを含む他の端末装置へなされる通話であってもよい。
【００４０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００４１】
以上の構成による通信システム１００の動作を説明する。図４は、通信システム１００による通信手順を示すシーケンス図である。第１端末装置１０ａは発呼信号を第２端末装置１０ｂに送信する（Ｓ１０）。第３端末装置１０ｃは要求信号を第１端末装置１０ａに送信する（Ｓ１２）。第３端末装置１０ｃは発呼信号を第４端末装置１０ｄに送信する（Ｓ１４）。第３端末装置１０ｃは招待信号を第１端末装置１０ａと第２端末装置１０ｂに送信する（Ｓ１６、Ｓ１８）。第１端末装置１０ａは発呼信号を第２端末装置１０ｂに送信する（Ｓ２０）。
【００４２】
図５は、第３端末装置１０ｃによる通信手順を示すフローチャートである。検出部５０は、第１端末装置１０ａからの発呼信号を検出する（Ｓ４０）。また、発呼信号に含まれた第１端末装置１０ａのＩＤと第２端末装置１０ｂのＩＤとが記憶部３２に記憶される。要求部５２は、要求信号を第１端末装置１０ａに送信する（Ｓ４２）。無線部３０が、第１端末装置１０ａからの発呼信号の停止を検出する（Ｓ４４）と、通信部５４は発呼信号を第４端末装置１０ｄに送信する（Ｓ４６）。送信が終了にならなければ（Ｓ４８のＮ）、ステップ４６に戻る。送信が終了になれば（Ｓ４８のＹ）、招待部５６は一定期間にわたって招待信号を第１端末装置１０ａと第２端末装置１０ｂとに送信する（Ｓ５０）。
【００４３】
図６は、第１端末装置１０ａによる通信手順を示すフローチャートである。通信部４０は発呼信号を第２端末装置１０ｂに送信する（Ｓ７０）。検出部４２が、第３端末装置１０ｃからの要求信号の受信を検出すれば（Ｓ７２のＹ）、通信部４０は発呼信号の送信を停止する（Ｓ７４）。検出部４２が、第３端末装置１０ｃからの招待信号の受信を検出する（Ｓ７６）。操作部２０が押し下げられれば（Ｓ７８のＹ）、通信部４０は発呼信号を第２端末装置１０ｂに送信する（Ｓ８０）。操作部２０が押し下げられなければ（Ｓ７８のＮ）、処理は終了する。また、検出部４２が、第３端末装置１０ｃからの要求信号の受信を検出しなければ（Ｓ７２のＮ）、処理は終了される。
【００４４】
本実施例によれば、送信側端末装置と受信側端末装置との間の通話に割り込んだ場合に、通話が終了すれば、通話の再開を促すための招待信号を送信側端末装置と受信側端末装置に送信するので、割り込まれた通話の再開を優先的に実行させることができる。また、割り込まれた通話の再開が優先的に実行されるので、割り込まれた通話の再開を容易にできる。また、通話が終了してから一定の期間にわたって招待信号を送信するので、割り込まれた通話の再開を優先的に実行させる期間を限定できる。また、割り込まれた通話の再開を優先的に実行させる期間が限定されるので、通話が割り込まれた端末装置以外の端末装置に与える影響を低減できる。
【００４５】
また、通話に割り込まれた場合に、所定のチャネルにおける通話の再開を促すための招待信号を受信している間にわたって、所定のチャネルにおける通話を実行可能であるので、割り込まれた通話の再開を優先的に実行できる。また、また、招待信号を受信していることを通知するので、割り込まれた通話を再開可能なタイミングをユーザに知らせることができる。また、招待信号を受信しても、通話の再開が不要である場合、再開の拒否信号を送信し、招待信号を送信している端末装置は拒否信号を受信し招待信号の送信を停止するので、通話が割り込まれた端末装置以外の端末装置に与える影響を低減できる。
【００４６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４７】
本実施例によれば、通信システム１００として、業務用無線システムが使用されている。しかしながらこれに限らず例えば、業務用無線システム以外の携帯電話等の無線通信システムが使用されてもよい。本変形例によれば、システムの自由度を向上できる。
【符号の説明】
【００４８】
１０  端末装置、  ２０  操作部、  ２２  マイク、  ２４  スピーカ、  ２６  通知部、  ２８  処理部、  ３０  無線部、  ３２  記憶部、  ４０  通信部、  ４２  検出部、  ４４  応答部、  ５０  検出部、  ５２  要求部、  ５４  通信部、  ５６  招待部、  １００  通信システム。
【図１】
2019106598.tif 000003
【図２】
2019106598.tif 000004
【図３】
2019106598.tif 000005
【図４】
2019106598.tif 000006
【図５】
2019106598.tif 000007
【図６】
2019106598.tif 000008